(57)【要約】      （修正有）【課題】盤内に布設した各相母線の相互間に介装した支持碍子の形状を改良することにより、異相母線のバー導体間に発生したアークの自由走行を規制して重大なアーク事故の防止が図れるようにした配電盤の母線支持構造を提供する。【解決手段】盤内に布設したバー導体になる各相の主回路母線を、その長手方向に沿って導体相互間に介装した支持碍子を介して絶縁支持した配電盤の母線支持構造において、前記支持碍子を、その横幅が母線のバー導体幅よりも大きな長方台形となした上で、該碍子の両端部をバー導体の側方に張り出して配置した。【選択図】図１
2014204632.tif 000002
【特許請求の範囲】
【請求項１】
盤内に布設したバー導体になる各相の主回路母線を、その長手方向に沿って導体相互間に介装した支持碍子を介して絶縁支持した配電盤の母線支持構造において、
前記支持碍子を、その横幅が母線のバー導体幅よりも大きな長方台形となした上で、該碍子の両端部をバー導体の側方に張り出して配置したことを特徴とする配電盤の母線支持構造。
【請求項２】
請求項１に記載の母線支持構造において、支持碍子を樹脂成形品で構成したことを特徴とする配電盤の母線支持構造。
【発明の詳細な説明】
【技術分野】
【０００１】
本発明は、メタルクラッド形配線盤などの盤内に布設したバー導体になる各相の主回路母線を支持碍子を介して絶縁支持する配電盤の母線支持構造に関する。
【背景技術】
【０００２】
まず、盤内に主回路母線を布設したメタルクラッド形の配電盤、および従来における母線の支持構造を図２，図３に示す。図２において、１は配電盤の筐体、１ａは盤筐体の周面を覆った鋼板製の壁面、１ｂは前面扉１、２は盤内の母線室内に布設したバー導体になるＵ，Ｖ，Ｗ各相の主回路母線であり、図３で示すように各相の母線２Ｕ，２Ｖ，２Ｗはその布設方向に沿った中間箇所が支持碍子３を介して盤内に絶縁支持されている（例えば、特許文献１参照）。なお、図３では各相母線２のバー導体が、支持碍子３を介して盤筐体の内部に画成した母線室の仕切隔壁１ｃに支持されている。
【０００３】
ここで、前記支持碍子３はその周面に多数の襞を形成した円柱状の絶縁物であり、通常は母線２のバー導体幅ａよりも小さな直径ｂの碍子３を図示のようにバー導体に中央位置に介装して相間，対接地間の絶縁耐力を確保するようにしている。
【先行技術文献】
【特許文献】
【０００４】
【特許文献１】特開平８−２９８７０６号公報
【発明の概要】
【発明が解決しようとする課題】
【０００５】
ところで、図３に示した従来の母線支持構造では、相間短絡事故により異相母線２の間にアークが発生した場合には次記のような問題が派生する。すなわち、配電盤の盤内に布設した主回路母線２に何らかの原因で相間短絡事故が生じ、これが基で図４で示すように母線導体２の相互間（図示例では２Ｕ／２Ｖ間）でバー導体の側縁（導体の板面に比べて電界傾度が大）にアークａｒｃが発生すると、このアークは母線２の電流による電磁駆動力（ローレンツ力）を受けて図示矢印（白抜き矢印）のように発弧地点からバー導体の長手方向に沿って自由に走行する。
【０００６】
なお、主回路母線２に相間短絡事故が発生して短絡電流が流れると、主回路路母線２の電源側に接続した上位の遮断器がトリップ動作し、短絡電流が遮断されてアークも消滅することになる。しかしながら、相間短絡事故の発生時点から電流が遮断されるまでの間に発生アークが図示矢印のように走行して母線２の終端位置まで伝搬すると、アークは母線２の終端部と対峙する盤筐体の壁面１ａに直接接触するようになる（接触箇所をＰで表す）。この状態になると、アーク熱により筐体の壁面（鋼板）１ａが溶けて穴が開き、盤内に生じた高温のアークガスが盤外周囲に吹き出るなどの重大事故に進展するおそれがある。そのほか、母線２から分岐母線を経て負荷側機器，計測機器などにアークが伝搬すると、これら機器がアークに曝されて焼損，破損するおそれもある。
【０００７】
そのために、従来の配電盤では母線の分岐箇所にアークホーンを付設してこの部分にアークを停滞させる、あるいは母線２と筐体壁面２との間の間隔を充分に広げて安全な絶縁耐力を確保するなどしているが、この方法では盤内の所要スペースが拡大して配電盤の外形サイズが大型化する。
【０００８】
本発明は上記の点に鑑みなされたものであり、その目的は盤内に布設した各相母線の相互間に介装した支持碍子の形状を改良することにより、異相母線のバー導体間に発生したアークの走行を規制して重大なアーク事故の防止が図れるように改良した配電盤の母線支持構造を提供することにある。
【課題を解決するための手段】
【０００９】
上記目的を達成するために、本発明によれば、盤内に布設したバー導体になる各相の主回路母線を、その長手方向に沿って導体相互間に介装した支持碍子を介して絶縁支持した配電盤において、
前記支持碍子を、その横幅が母線のバー導体幅よりも大きな長方台形となした上で、該相間支持碍子の両端部をバー導体の側方に張り出して配置する（請求項１）。
【００１０】
ここで、前記支持碍子は、エポキシ樹脂などの樹脂成形品で構成する（請求項２）。
【発明の効果】
【００１１】
上記構成によれば、相間短絡事故により異相の母線相互間に発生したアークが長方台形の相間支持碍子の位置まで走行すると、アークは母線のバー導体から側方に張り出した相間支持碍子の端部に当たってその位置に停滞し、この位置からさらに先方への走行が阻止される。そして、アークが前記位置に停滞している間に上位の遮断器がトリップ動作して短絡電流を遮断するとアークも消滅する。これにより、主回路母線２の終端位置まで自由走行して盤筐体の壁面１ａに接触し、このために盤筐体の壁面が溶損して盤内から高温アークガスが外方に吹き出したり、主回路母線に接続された負荷側の機器がアークに曝されて損傷する重大なアーク事故への進展を回避して配電盤の安全性を高めることができる。
【００１２】
ここで、前記の相間支持碍子をエポキシ樹脂などの樹脂製とすることで、母線のバー導体幅に対応する形状，サイズの碍子を容易に製作できる。
【図面の簡単な説明】
【００１３】
【図１】本発明の実施例による母線支持構造の略示斜視図である。
【図２】本発明の実施対象となるメタルクラッド形配電盤の外観斜視図である。
【図３】従来における母線支持構造の略示斜視図である。
【図４】図３の母線支持構造で母線短絡事故に伴い発生したアークの走行経緯を表す説明図である。
【発明を実施するための形態】
【００１４】
以下、本発明の実施の形態を図１に示す実施例に基づいて説明する。なお、実施例の図中で図３に対応する部材には同じ符号を付してその説明は省略する。
すなわち、図示実施例の母線支持構造においては、Ｕ，Ｖ，Ｗ各相の主回路母線２Ｕ，２Ｖ，２Ｗの相互間に介装した相間支持碍子４は、図示のように碍子の横幅ｃを母線２のバー導体幅ａよりも大に拡張した長方台形になるエポキシ樹脂製の碍子であり、この相間支持碍子４はその両端部が母線２のバー導体側縁から左右側方に張り出すように位置決めして配置されている。なお、この相間支持碍子４の両端部を含む周面には、通常の支持碍子と同様に多数条の襞を形成して絶縁沿面距離を増加するようにしている。また、図中におけるＷ相の母線２Ｗと母線室の仕切隔壁１ｃとの間に介装した支持碍子３は、図３の従来構造と同じ円柱形の支持碍子３を採用している。
【００１５】
上記構成の母線支持構造によれば、何らかの原因で主回路母線２に短絡事故が生じて異相の母線間（図示例では母線２Ｕ／２Ｖ間）に発生したアークａｒｃが、その発弧地点から矢印方向に走行して相間支持碍子４の位置に達すると、アークは母線２のバー導体から側方に張り出した相間支持碍子４の端部に当たってその地点に停滞し、ここからさらに先方への自由な走行が阻止される。またアークが前記地点に停滞している間に電源側に接続した上位の遮断器がトリップ動作して短絡電流が遮断されるとアークも消滅する。これにより、主回路母線２の終端まで自由走行して盤筐体の壁面１ａに接触し、このために盤筐体の壁面を損傷して盤内から高温のアークガスが外方に吹き出したり、主回路母線２に接続された負荷側の機器がアークに曝されて重大なアーク事故に進展するのを回避して配電盤の安全性，信頼性を高めることができる。
【符号の説明】
【００１６】
１    配電盤の筐体
１ａ  盤筐体の壁面
１ｃ  母線室の仕切隔壁
２    主回路母線
３    支持碍子
４    相間支持碍子
ａｒｃ  アーク
ａ    バー導体幅
ｃ    相間支持碍子の横幅
【図１】
2014204632.tif 000003
【図２】
2014204632.tif 000004
【図３】
2014204632.tif 000005
【図４】
2014204632.tif 000006